(57)【要約】      （修正有）【課題】頭皮マッサージが洗髪時に行え、また、頭皮若しくは指先又は爪等を保護し、また、手袋本体が速やかに乾燥して衛生的な洗髪用手袋の提供をする。【解決手段】洗髪用手袋１は、少なくとも人差し指が挿入される位置Ｆの手袋の指袋部２表面にマッサージ用粒状体３が設けられ、指袋部２を含む手袋本体の掌側Ｈ若しくは甲側Ｂの少なくとも一方が通水性及び通気性を有する生地により構成されているものである。また、マッサージ用粒状体３，・・・がスポンジ材により構成されており、さらに、マッサージ用粒状体３，・・・が多数の糸条を束ねて締結して成る糸球を採用したものである。【選択図】図１
0003115109.tif 000002
【実用新案登録請求の範囲】
【請求項１】
少なくとも人差し指が挿入される位置の手袋の指袋部表面にマッサージ用粒状体が設けられ、指袋部を含む手袋本体の掌側若しくは甲側の少なくとも一方が通水性及び通気性を有する生地により構成されていることを特徴とする洗髪用手袋。
【請求項２】
マッサージ用粒状体がスポンジ材により構成されていることを特徴とする請求項１に記載の洗髪用手袋。
【請求項３】
マッサージ用粒状体が多数の糸条を束ねて締結して成る糸球により構成されていることを特徴とする請求項１に記載の洗髪用手袋。
【請求項４】
通水性及び通気性を有する生地がレース状の素材であり、レース状の素材の開目が１ｍｍ以上１５ｍｍ以下であることを特徴とする請求項１乃至請求項３のいずれか１項に記載の洗髪用手袋。
【考案の詳細な説明】
【技術分野】
【０００１】
本考案は、洗髪の際に使用される洗髪用手袋に関する。
【背景技術】
【０００２】
毛髪の手入れには頭皮のマッサージや育毛剤の塗布等があり、従来、頭皮のマッージや育毛剤の塗布のために頭皮マッサージ用手袋が利用されている（特許文献１参照）。この頭皮マッサージ用手袋は、指袋部に吸液性材料で構成される凹凸部が設けられた手袋で、吸液性凹凸部に育毛剤等を含ませて頭皮への育毛剤等の塗布を容易にするとともに、頭皮に凹凸部を押し当てマッサージ効果を得て頭皮の血行を促進させるためのものである。
【０００３】
【特許文献１】特開平１０−１６８６２２号公報
【考案の開示】
【考案が解決しようとする課題】
【０００４】
しかし、上記マッサージ用手袋は育毛剤等を塗布する際、薬液等で手等が汚れないよう疎水性のプラスチックフイルム等を素材としており、洗髪後時間が経過した後に使用されるが、洗髪の際に使用されるための物ではない。よって、頭皮若しくは指先又は爪等を保護するために洗髪時に使用すれば、手袋内部、特に指袋部の先端付近にシャンプーや水が入ったり、手の汗等が付着したままとなり、手袋内部を洗浄したり乾燥したりすることが容易でなく不潔になりがちであった。
【０００５】
本考案は、上記した従来の問題点に鑑みてなされたものであって、頭皮マッサージが洗髪時に行え、また、頭皮若しくは指先又は爪等を保護し、また、手袋本体が速やかに乾燥して衛生的な洗髪用手袋の提供を目的とする。
【課題を解決するための手段】
【０００６】
上記目的を達成するために、本考案に係る洗髪用手袋は、少なくとも人差し指が挿入される位置の手袋の指袋部表面にマッサージ用粒状体が設けられ、指袋部を含む手袋本体の掌側若しくは甲側の少なくとも一方が通水性及び通気性を有する生地により構成されているものである。
【０００７】
また、前記構成において、マッサージ用粒状体がスポンジ材により構成されているものである。
【０００８】
そして、マッサージ用粒状体として多数の糸条を束ねて締結して成る糸球を採用したものである。
【０００９】
更に、上記各構成において、通水性及び通気性を有する生地がレース状の素材であり、前記レース状の素材の開目の大きさを１ｍｍ以上１５ｍｍ以下としたものである。
【考案の効果】
【００１０】
本考案に係る洗髪用手袋によれば、指袋部の、少なくとも人差し指が挿入される位置の先端部にマッサージ用粒状体が設けられている。従って、洗髪する際に手に洗髪用手袋を嵌めれば指先や爪が頭皮に直接当たらないので頭皮が爪等で傷つけられず保護されるとともに、指先等が頭皮や髪との摩擦で手荒れを起こしたり、爪が割れたりするのを防いで指先を保護できる。また、頭皮の油等の汚れをシャンプーにより落とす際粒状体が頭皮の汚れをかきとって洗浄作用を向上させることができ、さらに、指袋部を含む手袋本体の掌側若しくは甲側の少なくとも一方が通水性及び通気性を有する生地により構成されているので、使用後洗髪用手袋が速やかに乾燥して清潔にできる。
【００１１】
また、マッサージ用粒状体がスポンジ材により構成されている場合には、スポンジ材は柔らかく弾力があるので、シャンプーで洗髪する際に手に洗髪用手袋を嵌めれば頭皮及び指先、爪をより一層保護できるとともに、スポンジ材がシャンプーの泡立ちを促進させ、シャンプーが少量でも頭皮や髪が非常によく洗浄できるのでシャンプーの使用量を減らすことができ経済的である。
【００１２】
さらに、マッサージ用粒状体が多数の糸条を束ねて締結して成る糸球により構成されている場合には、粒状体がスポンジの場合よりも固いので少ない力でも頭皮を刺激でき、かつ糸条を束ねて締結した構成は空気をよく含むので、上述のスポンジ材の場合と同様に、シャンプーの泡立ちを促進させ、シャンプーが少量でも頭皮や髪が非常によく洗浄できてシャンプーの使用量を減らすことができ経済的である。
【００１３】
さらに、通水性及び通気性を有する生地がレース状の素材であり、レース状の素材の開目が１ｍｍ以上１５ｍｍ以下である場合には、マッサージ用粒状体のみならず指袋部を含む手袋本体自体がシャンプーの泡立ちを促進させ、さらにシャンプーの使用量を減らすことができて、より経済的であり、また、使用後はより速やかに乾燥するので清潔である。
【考案を実施するための最良の形態】
【００１４】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る洗髪用手袋の斜視図、図２は洗髪用手袋の生地の拡大図である。
本実施形態に係る洗髪用手袋１は、各指が挿入される５本の指袋部２，２，２，２，２を備えるように編成されたものであって、各指袋部２，２，２，２，２の各先端部Ｐ，Ｐ，Ｐ，Ｐ，Ｐの近傍の表面に複数のマッサージ用粒状体３,３,３，・・・がそれぞれ設けられている。尚、図中Ｆは人差し指挿入位置を示す。
粒状体３，３，３，・・・は、弾力性発泡樹脂製で、球形のスポンジ材で構成されている。この場合、粒状体３，３，３，・・・は各指袋部２の掌側Ｈ、甲側Ｂ、先端部Ｐに各２個ずつ横並びにして合計６個が設けられている。
【００１５】
粒状体３の大きさは特に制限されないが、マッサージ効果をもたせるにはある程度の大きさが必要であり、例えば球状の粒状体３では、直径が５ｍｍ以上１２ｍｍ以下のものを用いるのが好ましい。粒状体３，３，３，・・・は手袋本体１に縫着、熱接着、接着剤等による接着等により取り付けられる。
【００１６】
そして、手袋本体４の掌側Ｈ及び甲側Ｂのいずれも、通水性及び通気性を有するレース状の素材で構成されている。
このレース状の素材は、図２に示すように、例えば合成繊維や天然繊維等の線条５ａ，５ｂを経緯に編組して形成されている。このレース状の素材の開目Ｉは１ｍｍ以上１５ｍｍ以下、好ましくは３ｍｍ以上８ｍｍ以下であることが好ましい。レース状の素材に刺繍等を施すと美観が増す。手袋本体４の手首部６はゴム等の伸縮性材料を取り付けた構成としている。
【００１７】
引続き、洗髪用手袋１の動作につき、以下に説明する。
洗髪する際に洗髪用手袋１を手に嵌めマッサージ用粒状体３，３，３，・・・を頭皮に押し当てて頭皮を刺激しつつ髪や頭皮を洗浄する。この粒状体３，３，３・・・のマッサージ効果によって頭皮の血行を促進させるとともに、毛根に付いた脂等の汚れを粒状体３，３，３，・・が掻き取って洗浄作用を向上させることができる。
また、指先や爪が頭皮に直接当たらないので頭皮が爪等で傷つけられることなく保護されて洗髪時の抜け毛防止になり、地肌が乾燥しがちな人やフケ等が出やすい人に最適である。さらに、指先等が頭皮や髪との摩擦で手荒れを起こしたり、爪が割れたりするのを防いで保護する。かかる洗髪用手袋１は洗髪を多く行う美容院や理容院等でも利用でき、美容師や理容師の洗髪作業による手荒れを防止できる。
【００１８】
マッサージ用粒状体３，３，３，・・・を構成するスポンジ材は柔らかく弾力があるので、シャンプーで洗髪する際に手に洗髪用手袋１を嵌めれば頭皮若しくは指先又は爪をより保護できる。加えて、スポンジ材がシャンプーの泡立ちを促進させ、少量のシャンプーでも頭皮や髪が非常によく洗浄でき、シャンプーの使用量を減らすことができて経済的である。
【００１９】
この洗髪用手袋１では、手袋本体４の掌側Ｈと甲側Ｂを同じ形状とするとともに粒状体３，３，３，・・・を手袋の掌側Ｈ及び甲側Ｂの両方に設けているので、洗髪用手袋１を手に嵌める際右手用か左手用か確認する手間がかからない。また、洗髪時目が開けられないときも左右いずれの手に嵌めてもよいので左右の洗髪用手袋１を間違えるといったことがなく作業性がよくなる。
【００２０】
さらに、手袋本体４全体が通水性及び通気性を有するレース状の素材により構成されているので、洗髪用手袋１を手に嵌めて使用した際、手袋内部、特に指袋部２，２，２，・・の先端付近にシャンプーや水、手の汗等が付着しても洗浄し乾燥することが非常に容易であり清潔にできる。特に、レース状の素材の開目が１ｍｍ以上１５ｍｍ以下であるので、粒状体３，３，３，・・・だけでなく指袋部２を含む手袋本体４自体もシャンプーの泡立ちを促進させ、よりシャンプーの使用量を減らすことができ経済的であり、使用後はより速やかに乾燥するのでより清潔にできる。
【００２１】
尚、レース状の素材の開目が１ｍｍより小さい場合は通気性が悪いため乾燥に時間がかかり衛生的でない。他方、開目が１５ｍｍより大きい場合は手に嵌める際に手袋本体４の生地が指等に絡まりやすくなって嵌めにくく、また、手を被う面積が少ないので洗髪作業による手荒れを効果的に予防できない。
【００２２】
粒状体３，３，３，・・・を指袋部２の先端部Ｐに設けずに手の掌側Ｈ及び甲側Ｂの両表面のみ、又は、掌側Ｈのみに設けてもよい。尚、粒状体３，３，３，・・・は指袋部２全体に設けてもよいが、先端部Ｐ近傍、特に先端部Ｐから第一関節対応位置までとするのが好ましい。また、一つの指袋部２に設ける粒状体３，３，３，・・・の数は６個に限られず、マッサージ効果を奏し得る数であればよい。
そして、粒状体３は、球形以外に半球形、立方体、直方体、円柱等あるいはこれらを適宜組み合わせた形状であってもよく、材質として上記したスポンジ材等の弾力性発泡樹脂のみならず各種プラスチック、脱脂綿等で構成しても構わない。
【００２３】
そして、図３に示すように、多数の糸条６，６，６，・・・を締結用糸８で束ねて締結した糸球７をマッサージ用粒状体３ａとして用いることも可能である。この場合、マッサージ効果により頭皮の血行を促進させるには、粒状体３ａがある程度の硬さを有することが好ましいが、粒状体３ａ，３ａ，３ａ，・・・が上記糸球７，７，７，・・・により構成されていれば、スポンジ材により構成した場合よりも固くなるので少ない力でも頭皮をより刺激でき、かつ、糸が結ばれた結び目は空気をよく含むのでシャンプーの泡立ちもよくでき、使用するシャンプーが少量で済み経済的である。
【００２４】
そうして、手袋本体４の全体ではなく、掌側Ｈ若しくは甲側Ｂの少なくとも一方を通水性及び通気性を有する生地の素材、例えばナイロン、綿、ポリエステルシルク等で構成してもよい。この通水性及び通気性を有する生地としては、上記したレース状の素材に限られず、例えば薄手の不織布等であってもよい。また、手袋本体４は通常の五指が分離した形状の手袋以外に、ミトン型、筒状で親指の挿入部のない形状のもの等であってもよい。さらに、掌側Ｈと甲側Ｂを全く同じ形状に形成して右手又は左手のいずれに嵌めても使用できるようにしてもよく、逆に右手用と左手用の形状を異ならせてもよい。
【図面の簡単な説明】
【００２５】
【図１】本考案の一実施形態に係る洗髪用手袋の斜視図である。
【図２】本考案の一実施形態に係る洗髪用手袋の生地の拡大図である。
【図３】本考案の一実施形態に係る洗髪用手袋の部分断面図である。
【符号の説明】
【００２６】
１  洗髪用手袋
２  指袋部
３  粒状体
４  手袋本体
５ａ，５ｂ  線条
６  糸条
７  糸球
Ｂ  甲側
Ｆ  人差し指挿入位置
Ｈ  掌側
Ｉ  開目
Ｐ  先端部
【図１】
0003115109.tif 000003
【図２】
0003115109.tif 000004
【図３】
0003115109.tif 000005